(57)【特許請求の範囲】
【請求項１】
背表紙の両側に、折り罫を介して表表紙と裏表紙を連設したブック型のカバー本体と、両側辺の裏面がカバー本体の表表紙の内面の外側辺と裏表紙の内面の外側辺とにそれぞれ接合され、横幅寸法がカバー本体を広げた横幅寸法よりも短く、表面の両側にカード差込部を有するカードホルダーとからなる卓上カード立て。
【請求項２】
上記カードホルダーが透明な合成樹脂シートからなる請求項１記載の卓上カード立て。
【請求項３】
上記カードホルダーが紙からなる請求項１記載の卓上カード立て。
【請求項４】
上記カードホルダーのカード差込部が、側辺の全長に亘って開口するポケット形状に形成されている請求項１〜３のいずれかに記載の卓上カード立て。
【請求項５】
上記カバー本体が厚紙からなる請求項１〜４のいずれかに記載の卓上カード立て。
【請求項６】
上記カバー本体を閉じた際に、表表紙と裏表紙とが突き合う部分に、両者を結合する面ファスナー等の接合手段を設けた請求項１〜５のいずれかに記載の卓上カード立て。
【発明の詳細な説明】
【０００１】
【発明の属する技術分野】
この発明は、写真やカード型のカレンダー等を卓上に立てた状態で飾ることができる卓上カード立てに関する。
【０００２】
【従来の技術】
従来、写真やカード型のカレンダー等を卓上に飾るために使用する卓上カード立ては、カードを収容する額形のフレームの背面に脚柱を設けたものが一般的である。
【０００３】
【発明が解決しようとする課題】
ところで、従来の卓上カード立てを使用して写真やカード型のカレンダーを卓上に飾る場合、写真が個人的なものである場合や、カレンダーに個人の予定表等を記載してある場合、プライバシーの保護のために、席を立った時や横の席の人から見られたくないという人もいる。
【０００４】
このような場合、従来の写真立てでは、フレームの背面の脚柱を取り外したり、畳んだりしなければ、机の中や本棚等に収容することができないので、手間が掛かる。
【０００５】
また、従来の写真立ては、額形のフレーム内にカードを平面的に収容するため、大きなカードの場合には、フレームが大きく、卓上に広い設置場所が必要になる。また、席の横の人からフレーム内のカードが見られないような卓上の設置場所というのは少ない。
【０００６】
そこで、この発明は、席を立ったりする時に、写真等のカードに折目を付けずに、簡単に二つ折り状態に折って本棚や机の中に収容することができ、しかも卓上に飾った状態で、横の席からは写真等のカードが見難い構造にした、プライバシーの保護効果の高い卓上カード立てを提供しようとするものである。
【０００７】
【課題を解決するための手段】
上記の課題を解決するために、この発明は、背表紙の両側に、折り罫を介して表表紙と裏表紙を連設したブック型のカバー本体と、両側辺の裏面がカバー本体の表表紙の内面の外側辺と裏表紙の内面の外側辺とにそれぞれ接合され、横幅寸法がカバー本体を広げた横幅寸法よりも短く、表面の両側にカード差込部を有するカードホルダーとによって卓上カード立てを構成したものである。
【０００８】
上記卓上カード立ては、カードホルダーの横幅寸法を、カバー本体を広げた横幅寸法よりも短くしているので、ブック型のカバー本体を開くと、カバー本体は一直線状に開かれずに、屏風のように中央部で屈曲した状態で開かれて起立する。
【０００９】
したがって、カードホルダーのカード差込部に、写真やカード型のカレンダーの両側を差込むことにより、写真等のカードを屏風のような状態に開いて卓上に立てて飾ることができる。
【００１０】
また、写真等のカードは、屏風のように中央部で屈曲した状態に開かれるため、正面からは見易く、横方向からは見難くいので、プライバシーの保護効果が高い。
【００１１】
上記ブック型のカバー本体は、背表紙の両側に折り罫を介して表表紙と裏表紙を連設しており、カバー本体を表表紙と裏表紙を合せて二つ折り状態に閉じても、カバー本体の内側に差込んだ写真等のカードには折目が付かないので、席を立ったりする時に、ブック型のカバー本体を二つ折り状態に折って本棚や机の中に収容することができる。
【００１２】
また、カバー本体を閉じた際に、表表紙と裏表紙の合せ部分に、両者を結合する面ファスナー等の接合手段を設けておくと、カバー本体を閉じた状態に簡易に保持しておくことができるため、プライバシーの保護がより効果的に行える。
【００１３】
【発明の実施の形態】
この発明に係る卓上カード立ては、図１に示すように、厚紙等によって形成されたブック型のカバー本体１と、このカバー本体１の内面に接合されたカードホルダー２とからなる。
【００１４】
カバー本体１は、背表紙３の両側に、折り罫４を介して表表紙５と裏表紙６を連設して形成されている。上記折り罫４は、背表紙３の両側に二本形成したが、これを多数本にして、背表紙３が湾曲するようにしてもよい。
【００１５】
上記カバーホルダー２は、透明な合成樹脂シートまたは紙によって形成され、両側辺の裏面がカバー本体１の表表紙５の内面の外側辺と裏表紙６の内面の外側辺とにそれぞれ接合され、横幅寸法がカバー本体１を広げた横幅寸法よりも短く形成されている。
【００１６】
上記カードホルダー２の表面の両側には、写真やカレンダー等のカードＡの両側辺を差込むカード差込部７が設けられている。
【００１７】
上記カード差込部７は、カードホルダー２を形成するシート材料の両側辺を内面側に折り返して上下両端を接合し、側辺の全長に亘って開口するポケット形状に形成している。このカード差込部７は、カードＡの四隅が差込まれるように、三角形状に形成してもよい。
【００１８】
この発明に係る卓上カード立ては、カードホルダー２の横幅寸法を、カバー本体１を広げた横幅寸法よりも短くしているので、ブック型のカバー本体１を開くと、図１に示すように、カバー本体１は一直線状に開かれずに、屏風のように中央部で屈曲した状態で開かれて起立する。
【００１９】
したがって、カードホルダー２のカード差込部７に、写真やカレンダー等のカードＡの両側を差込むことにより、カードＡを屏風のように中央部で屈曲した状態に開いて卓上に立てて飾ることができる。
【００２０】
写真等のカードＡは、上記のように、屏風のように中央部で屈曲した状態に開かれるため、正面からは見易く、横方向からは見難くいので、プライバシーの保護効果が高い。
【００２１】
また、ブック型のカバー本体１は、背表紙３の両側に折り罫４を介して表表紙５と裏表紙６を連設しているので、席を立ったりする時に、二つ折り状態に折って、本棚や机の中に収容することができる。そして、カバー本体１を表表紙５と裏表紙６を合せて二つ折り状態に閉じても、表表紙５と裏表紙６の間には、背表紙３があるため、カバー本体１の内側に差込んだ写真等のカードＡは、図２に示すように、カードホルダー２のシート材料に沿って湾曲し、カードＡに折目が付かない。
【００２２】
また、カバー本体１を閉じた際に、表表紙５と裏表紙６の合せ部分に、図１および図２に示すように、両者を結合する面ファスナー等の接合手段８を設けておくと、カバー本体１を閉じた状態に簡易に保持しておくことができるため、プライバシーの保護がより効果的に行える。
【００２３】
【発明の効果】
この発明に係るカード立ては、上記のように、二つ折りにしても写真等のカードに折目を付けることなく、簡単に二つ折り状態にすることができるので、席を立ったりする時に、折って本棚や机の中に収容することができ、飾った状態において、横の席からは写真等のカードが見難いので、プライバシーの保護効果が高い。
【図面の簡単な説明】
【図１】この発明に係るカード立てを開いた状態を示す斜視図
【図２】この発明に係るカード立てを閉じた状態を示す横断面図
【符号の説明】
１  カバー本体
２  カードホルダー
３  背表紙
４  折り罫
５  表表紙
６  裏表紙
７  カード差込部
８  接合手段
Ａ  カード
【図１】
0004564205.tif 000002
【図２】
0004564205.tif 000003